(57)【要約】      （修正有）【課題】使用時において、使用者とシートの距離を使用者の体全体に対して適切に保ち、これによって、圧迫感を感じることの少ない瞑想用テントを提供する。【解決手段】使用者の頭部を取り囲む頭部被覆部１ａと、前記使用者の肩から下方を取り囲む胴部被覆部１ｂとからなり、前記頭部被覆部が、環状の支持リング２、および、この支持リングの上方に、略球殻面に沿って配設される可撓性を有する複数の頭部枠３を備え、前記胴部被覆部が、前記支持リングから下方へ向けて垂設され、かつ、前記支持リングに沿って間隔をおいて設けられた可撓性を有する複数の胴部枠４と、これらの胴部枠を、その長さ方向に間隔をおいた位置において相互に連結する複数の側部枠５を備え、前記頭部枠、前記胴部枠、および、前記側部枠を覆うシート６を設けてなり、このシートの、前記胴部枠間に位置させられる部位に、出入り用の開口部６ａを形成した。【選択図】図２
0003202197.tif 000002
【実用新案登録請求の範囲】
【請求項１】
使用者の頭部を取り囲む頭部被覆部と、前記使用者の肩から下方を取り囲む胴部被覆部とからなり、前記頭部被覆部が、環状の支持リング、および、この支持リングの上方に、略球殻面に沿って配設される可撓性を有する複数の頭部枠を備え、前記胴部被覆部が、前記支持リングから下方へ向けて垂設され、かつ、前記支持リングに沿って間隔をおいて設けられた可撓性を有する複数の胴部枠と、これらの胴部枠を、その長さ方向に間隔をおいた位置において相互に連結する複数の側部枠を備え、前記頭部枠、前記胴部枠、および、前記側部枠を覆うシートを設けてなり、このシートの、前記胴部枠間に位置させられる部位に、出入り用の開口部を形成してなることを特徴とする瞑想用テント。
【請求項２】
前記支持リングの上方に、この支持リングよりも小径な支持プレートが、前記支持リングと間隔をおいて配置され、この支持プレートの周縁部には外方へ向かう第１の係止孔が、周方向に間隔をおいて複数形成され、前記支持リングの上部には、その内側斜め上方へ向かう第２の係止孔が、周方向に間隔をおいて複数形成され、これらの第１の係止孔と第２の係止孔に前記頭部枠の端部が挿入されて係止されていることを特徴とする請求項１に記載の瞑想用テント。
【請求項３】
前記支持リングの下部に、その外側斜め下方へ向かう第３の係止孔が、周方向に間隔をおいて複数設けられ、これらの第３の係止孔に、前記胴部枠の上端が挿入されて係止されていることを特徴とする請求項１または請求項２の何れかに記載の瞑想用テント。
【請求項４】
前記側部枠が、同一平面内で相互に屈曲可能に連結された多数の側部枠構成体と、これらの側部枠構成体を貫通して設けられた可撓性を有する補強枠とによって構成され、前記側部枠構成体には、前記胴部枠が挿通されるガイド管が、上下方向に沿って設けられていることを特徴とする請求項１ないし請求項３の何れかに記載の瞑想用テント。
【請求項５】
前記各側部枠構成体には、これらの側部枠構成体が同一平面内において環状に屈曲させられた状態において、その内側に開口する係止溝が周方向全長にわたって形成され、この係止溝に、前記補強枠が挿入されていることを特徴とする請求項４に記載の瞑想用テント。
【考案の詳細な説明】
【技術分野】
【０００１】
本考案は瞑想用テントに係わり、特に、使用者をその体型に沿うようにして覆うようにした瞑想用テントに関するものである。
【背景技術】
【０００２】
従来、一人用テントとして、たとえば、特許文献１に示される構造のものが提案されている。
【０００３】
この技術は、シートを、切り妻屋根状に組み上げるとともに、その一方の妻側を閉塞するとともに、他方の妻側を開放して出入り口として用いるようにしたものである。
【先行技術文献】
【特許文献】
【０００４】
【特許文献１】実開平５−８３２２２号公報
【考案の概要】
【考案が解決しようとする課題】
【０００５】
ところで、前述した従来の一人用テントにあっては、使用者がテント内に入った際に、その頭部がテントの頂部に位置させられることとなるが、このテントの頂部が狭く、シートが頭部に至近位置で対峙させられる。
【０００６】
また、前記シートが前記頂部から斜め下方へ向けて直線状に延びていることから、使用者の肩周りに対しても前記シートが接近して位置させられる。
【０００７】
したがって、従来の一人用テントにあっては、使用者に圧迫感を与えてしまうことが否めず、特に、このテントを瞑想用として使用するには適さない。
【０００８】
本考案は、前述した従来の技術において残されている問題点に鑑みてなされたもので、使用時において、使用者とシートの距離を、使用者の体全体に対して適切に保ち、これによって、圧迫感を感じることの少ない瞑想用テントを提供することを解決課題とする。
【課題を解決するための手段】
【０００９】
本考案の瞑想用テントは、前述した課題を解決するために、使用者の頭部を取り囲む頭部被覆部と、前記使用者の肩から下方を取り囲む胴部被覆部とからなり、前記頭部被覆部が、環状の支持リング、および、この支持リングの上方に、略球殻面に沿って配設される可撓性を有する複数の頭部枠を備え、前記胴部被覆部が、前記支持リングから下方へ向けて垂設され、かつ、前記支持リングに沿って間隔をおいて設けられた可撓性を有する複数の胴部枠と、これらの胴部枠を、その長さ方向に間隔をおいた位置において相互に連結する複数の側部枠を備え、前記頭部枠、前記胴部枠、および、前記側部枠を覆うシートを設けてなり、このシートの、前記胴部枠間に位置させられる部位に、出入り用の開口部を形成してなることを特徴とする。
【００１０】
このような構成とすることにより、前記複数の頭部枠とこの頭部枠を覆う前記シートによって、前記支持リングの上方に球殻状の頭部被覆部を形成することができる。
【００１１】
また、前記複数の胴部枠とこの胴部枠を覆う前記シートによって、前記支持リングの下方に筒状の胴部被覆部を形成することができる。
【００１２】
これによって、前記頭部被覆部と胴部被覆部とを独立した形状としつつ、これらを、前記支持リングを介して連続させた瞑想用テントとすることができる。
【００１３】
ここで、前記頭部被覆部を、使用者の頭部にあわせて十分な内部空間とし、かつ、前記胴部被覆部を、使用者の肩から下方の胴部に合わせて十分な内部空間とすることができる。
【００１４】
これによって、使用者に与える圧迫感を抑制し、良好な使用感を実現することのできる瞑想用テントを提供することができる。
【００１５】
そして、前記支持リングの上方に、この支持リングよりも小径な支持プレートが、前記支持リングと間隔をおいて配置され、この支持プレートの周縁部には外方へ向かう第１の係止孔が、周方向に間隔をおいて複数形成され、前記支持リングの上部には、その内側斜め上方へ向かう第２の係止孔が、周方向に間隔をおいて複数形成され、これらの第１の係止孔と第２の係止孔に前記頭部枠の端部が挿入されて係止された構成とすることができる。
【００１６】
このような構成とすることにより、前記各頭部枠は、その一端部を、前記支持リングに形成された第２の係止孔に挿入して支持された状態において、前記支持リングの内側斜め上方へ向かうように係止される。
【００１７】
そして、前記頭部枠の他端部を、前記支持プレートに形成される前記第１の係止孔に挿入すると、この第１の係止孔が前記支持プレートの外方へ向かうように形成されていることから、前記胴部枠が、上方へ突出した円弧状に湾曲させられる。
【００１８】
したがって、前記胴部枠を前記支持リングと前記支持プレートに取り付けることにより、前記頭部被覆部を球殻状とする骨組みを容易に形成することができる。
【００１９】
また、前記支持リングの下部に、その外側斜め下方へ向かう第３の係止孔が、周方向に間隔をおいて複数設けられ、これらの第３の係止孔に、前記胴部枠の上端が挿入されて係止された構成とすることができる。
【００２０】
このような構成とすることにより、前記胴部枠の上端を前記支持リングの下方に形成された第３の係止孔に挿入することにより、前記胴部枠を、前記支持リングに対して外方斜め下方へ向けて保持することができる。
【００２１】
そして、前記胴部枠をその長さ方向の途中において前記側部枠に固定することにより、前記胴部枠を湾曲させることができる。
この結果、前記胴部枠が、その上端部が前記支持リングから離れた後に下方へ向かうように湾曲させられる。
【００２２】
これによって、前記頭部被覆部の下方に、この頭部被覆部より膨らんだ前記胴部被覆部を形成する骨組みを容易に形成することができる。
【００２３】
さらに、前記側部枠が、同一平面内で相互に屈曲可能に連結された多数の側部枠構成体と、これらの側部枠構成体を貫通して設けられた可撓性を有する補強枠とによって構成され、前記側部枠構成体には、前記胴部枠が挿通されるガイド管が、上下方向に沿って設けられた構成とすることができる。
【００２４】
このような構成とすることにより、前記複数の胴部枠のそれぞれを、前記側部枠構成体のガイド管に挿通することにより、前記側部枠構成体同士が屈曲させられて、全体として、前記支持リングと同様に環状となされる。
【００２５】
この状態において、前記各胴部枠がその中間部において相互に略平行となるように湾曲され、かつ、前記側部枠構成体を貫通して設けられた前記補強枠によって前記位置に保持される。
【００２６】
この結果、前記各胴部枠により、前述したように膨らんだ同部被覆部を形成する骨組みを容易に形成することができる。
【００２７】
一方、前記各側部枠構成体には、これらの側部枠構成体が同一平面内において環状に屈曲させられた状態において、その内側に開口する係止溝が周方向全長にわたって形成され、この係止溝に前記補強枠が挿入される。
【００２８】
このような構成とすることにより、前記補強枠と前記側部枠とを着脱可能な構成とすることができる。
【考案の効果】
【００２９】
本考案の瞑想用テントによれば、使用時において、使用者とシートの距離を使用者の体全体に対して適切に保ち、これによって、圧迫感を感じることの少ない瞑想用テントを提供することができる。
【図面の簡単な説明】
【００３０】
【図１】本考案の一実施形態を示す外観斜視図である。
【図２】本考案の一実施形態を示す外観斜視図である。
【図３】本考案の一実施形態を示すもので、骨組みの概略を示す斜視図である。
【図４】本考案の一実施形態を示すもので、骨組みを示す正面図である。
【図５】本考案の一実施形態を示すもので、骨組みを示す縦断面図である。
【図６】本考案の一実施形態を示すもので、側部枠を示す分解斜視図である。
【図７】本考案の一使用例を示すもので、図６のＶＩＩ−ＶＩＩ線に沿った拡大断面図である。
【図８】本考案の一使用例を示すもので、図６のＶＩＩＩ−ＶＩＩＩ線に沿った拡大断面図である。
【図９】本考案の変形例を示す外観斜視図である。
【図１０】図９の変形例の他の使用例を示す正面図である。
【図１１】本考案の他の変形例を示す外観斜視図である。
【考案を実施するための形態】
【００３１】
以下、本考案の一実施形態を、図面を参照して説明する。
これらの図において、符号１は、本実施形態に係わる瞑想用テントを示し、この瞑想用テント１は、使用者Ｐの頭部Ｈを取り囲む頭部被覆部１ａと、前記使用者の肩から下方（以下、胴部Ｂと称す）を取り囲む胴部被覆部１ｂとからなり、前記頭部被覆部１ａが、環状の支持リング２、および、この支持リング２の上方に、略球殻面に沿って配設される可撓性を有する複数の頭部枠３を備え、前記胴部被覆部１ｂが、前記支持リング２から下方へ向けて垂設され、かつ、前記支持リング２に沿って間隔をおいて設けられた可撓性を有する複数の胴部枠４と、これらの胴部枠４を、その長さ方向に間隔をおいた位置において相互に連結する複数の側部枠５を備え、前記頭部枠３、前記胴部枠４、および、前記側部枠５を覆うシート６を設けてなり、このシート６の、前記胴部枠４間に位置させられる部位に、出入り用の開口部６ａを形成した構成となっている。
【００３２】
前記支持リング２の上方には、この支持リング２よりも小径な円盤状の支持プレート７が、前記支持リング２と間隔をおいて配置され、この支持プレート７の周縁部には外方へ向かう第１の係止孔７ａが、周方向に間隔をおいて複数形成され、前記支持リング２の上部には、その内側斜め上方へ向かう第２の係止孔２ａが、周方向に間隔をおいて複数形成され、これらの第１の係止孔７ａと第２の係止孔２ａに前記頭部枠３の端部が挿入されている。
【００３３】
これによって、前記支持リング２に前記支持プレート７が連結されるとともに、これらを連結する前記各頭部枠３が、その中間部を上方へ向けて突出するように円弧状に湾曲させられている。
【００３４】
この結果、前記複数の頭部枠３の外表面を結んで得られる仮想面が略球殻状となる。
【００３５】
前記支持リング２の下部には、その外側斜め下方へ向かう第３の係止孔２ｂが、周方向に間隔をおいて複数設けられ、これらの第３の係止孔２ｂに、前記胴部枠４の上端が挿入されて係止されるようになされている。
【００３６】
前記側部枠５は、図６に示すように、同一平面内で相互に屈曲可能に連結された多数の側部枠構成体８と、これらの側部枠構成体８を貫通して設けられた可撓性を有する補強枠９とによって構成され、前記側部枠構成体８には、前記胴部枠４が挿通されるガイド管１０が、上下方向に沿って設けられている。
【００３７】
一方、前記各側部枠構成体８には、これらの側部枠構成体８が同一平面内において環状に屈曲させられた状態において、その内側に開口する係止溝８ａが周方向全長にわたって形成され、この係止溝８ａに前記補強枠９が挿入されるようになっている。
【００３８】
また、前記ガイド管１０は、前記側部枠構成体８に、一つおきに装着されており、このガイド管１０が装着されていない他の側部枠構成体８には、前記係止溝８ａに交差するようにして貫通孔１１が形成されている。
【００３９】
前記各貫通孔１１には、これらの貫通孔１１に挿通されて前記係止溝８ａを塞ぐように配置される係止ピン１２が装着されるようになっている。
【００４０】
これらの係止ピン１２は、前記貫通孔１１に挿通されて、前記側部枠構成体８を貫通するピン部１２ａと、このピン部１２ａの一端部に一体に連設された可撓性を有する連結片１２ｂと、この連結片１２ｂの自由端部に一体に設けられ、前記ピン部１２ａの他端部に嵌着される係合リング１２ｃとによって構成されている。
【００４１】
前記係止ピン１２は、前記ピン部１２ａを、前記側部枠構成体８の貫通孔１１に、前記側部枠構成体８の一端側から貫通させて他端側へ突出させた後に、前記側部枠構成体８の係止溝８ａの開口部を跨ぐようにして前記連結片１２ｂを取り回し、さらに、この連結片１２ｂに取り付けられている前記係合リング１２ｃを前記突出させられているピン部１２ａに嵌合させることにより、前記側部枠構成体８に取り付けられる。
【００４２】
このように取り付けられた前記係止ピン１２は、前記ピン部１２ａが前記係止溝８ａを横切ることにより、この係止溝８ａに位置させられている前記補強枠９が、前記係止溝８ａの内側開口から離脱するのを防止するようになっている。
【００４３】
また、前記係止ピン１２自体も、前記ピン部１２ａと連結片１２ｂ、および、前記係合リング１２ｃによって前記側部枠構成体８を取り囲むことにより、この側部枠構成体８からの離脱が防止されている。
【００４４】
一方、前記補強枠９は、任意の一対の前記胴部枠４間を開放するようにその長さが形成されており、それぞれの端部が、前記胴部枠４の側部に対峙させられて、図４に示すように、Ｔ字型コネクタ１３によって前記各胴部枠４へ連結されている。
【００４５】
前記Ｔ字型コネクタ１３は二つの菅を用い、一方の菅の外壁に、他方の菅を交差するようにして連結した構成である。
【００４６】
さらに、前記各胴部枠４の下端は、可撓性を有する底部枠１４が対峙させられており、この底部枠１４も、前記補強枠９と同様に、前記一対の胴部枠４間を開放するようにその長さが設定されており、それぞれの端部において、前記一対の胴部枠４の端部に対峙させられている。
【００４７】
そして、前記底部枠１４の端部と前記胴部枠４の端部は、一対の菅を直交するようにして連結して構成されたＬ字型コネクタ１５によって連結されている。
また、他の胴部枠４は、その下端において、前述したＴ字型コネクタ１３によって前記底部枠１４に連結されている。
【００４８】
このように、各枠が相互に連結されることにより、図４に示すように、本実施形態に係わる瞑想用テント１の骨組みが形成される。
【００４９】
そして、このように組み上げられた骨組みを覆ってシート６を被せることにより、図１に示すような本実施形態に係わる瞑想用テント１が組み上げられる。
【００５０】
ここで、前記シート６は、前記各頭部枠３の外側に沿うように被せられる部位と、前記各胴部枠４の外側に沿うように被せられる部位とが連続して形成された形状となされている。
【００５１】
したがって、前記シート６を、組み上げられた骨組みに被せることにより、図１に示すように、頭部被覆部１ａとその下方に繋がる胴部被覆部１ｂを備えた瞑想用テント１ができあがる。
【００５２】
このように組み上げられた本実施形態の瞑想用テント１は、その開口部６ａから中に入り、たとえば、この開口部６ａへ向けて座ることによって使用される。
【００５３】
このような使用状態において、図１に示すように、使用者の頭部Ｈが前記頭部被覆部１ａに位置し、また、胴部Ｂが前記胴部被覆部１ｂに位置する。
【００５４】
ここで、前記頭部被覆部１ａと前記胴部被覆部１ｂとが独立した形状設定が行なわれることにより、それぞれを、使用者の体型に沿った輪郭とすることができる。
【００５５】
この結果、前記瞑想用テント１の内面と使用者との間に形成される空間部を、この使用者の身体回りにほぼ均一に確保することができる。
この空間部の大きさを適宜設定しておくことにより、使用者への圧迫感を軽減することができる。
【００５６】
したがって、たとえば、この瞑想用テント１を瞑想のために使用する場合、外部の音に対する遮蔽効果とともに、前述した圧迫感が軽減されることにより、瞑想のための有効な空間が容易に得られる。
【００５７】
一方、前記瞑想用テント１の外形が人の外形に近くなり、前述した瞑想を行なうために前記瞑想用テント１を設置した場合、設置場所の雰囲気を壊すことを極力避けることができる。
【００５８】
そして、使用後にあっては、前記シート６を取り外した後に、前記頭部枠３、胴部枠４、側部枠５、および、補強枠９や底部枠１４を取り外すことにより、コンパクトに収納することができる。
【００５９】
ここで、前記各枠を単一の菅に収めることもでき、また、この菅を杖として用いることもできる。
したがって、お遍路参りのような行脚において、前記杖を用いることにより、移動を容易にしつつ瞑想用テント１の持ち運びを容易にする。
【００６０】
なお、本実施形態において示した各構成部材の諸形状や寸法等は一例であって、設計要求等に基づき種々変更可能である。
【００６１】
たとえば、図９に示すように。瞑想用テント１を長めに形成することにより、立った姿勢での瞑想を行なうようにすることもできる。
【００６２】
そして、前述したように、前記瞑想用テント１を長めに形成した場合にあっては、この瞑想用テント１を倒して使用することにより、図１０に示すように、就寝用テントとして用いることも可能である。
【００６３】
このように、就寝用テントとして使用する場合のために、前記瞑想用テント１の底部にカバー１６を開閉可能に設けておくこともできる。
【００６４】
また、図１１に示すように、前記頭部被覆部１ａの、前記胴部被覆部１ｂとの連続部にくびれ１７を設けておくこともできる。
このくびれ１７を設けておくと、このくびれ１７にロープを掛け、さらにこのロープを地面に固定することにより、前記瞑想用テント１の倒れを防止することができる。
【００６５】
さらに、図９に示すように、前記頭部被覆部１ａの内部に、使用者の頭部を覆うようなピラミッド型の覆い１８を設けておくことにより、ピラミッドパワーを得るようにすることもできる。
【符号の説明】
【００６６】
１  瞑想用テント
１ａ  頭部被覆部
１ｂ  胴部被覆部
２  支持リング
２ａ  第２の係止孔
２ｂ  第３の係止孔
３  頭部枠
４  胴部枠
５  側部枠
６  シート
６ａ  開口部
７  支持プレート
７ａ  第１の係止孔
８  側部枠構成体
８ａ  係止溝
９  補強枠
１０  ガイド管
１１  貫通孔
１２  係止ピン
１２ａ  ピン部
１２ｂ  連結片
１２ｃ  係合リング
１３  Ｔ字型コネクタ
１４  底部枠
１５  Ｌ字型コネクタ
１６  カバー
１７  くびれ
１８  覆い
Ｂ  胴部
Ｈ  頭部
Ｐ  使用者
【図１】
0003202197.tif 000003
【図２】
0003202197.tif 000004
【図３】
0003202197.tif 000005
【図４】
0003202197.tif 000006
【図５】
0003202197.tif 000007
【図６】
0003202197.tif 000008
【図７】
0003202197.tif 000009
【図８】
0003202197.tif 000010
【図９】
0003202197.tif 000011
【図１０】
0003202197.tif 000012
【図１１】
0003202197.tif 000013